【手続補正書】
【提出日】平成19年9月26日(2007.9.26)
【手続補正１】
【補正対象書類名】特許請求の範囲
【補正対象項目名】全文
【補正方法】変更
【補正の内容】
【特許請求の範囲】
【請求項１】
発光素子からの光を光束制御部材を介して出射するようになっている発光装置において、
前記光束制御部材は、前記発光素子を収容する凹みが裏面に形成され、前記発光素子からの光の出射を制御する光制御出射面が外表面に形成され、
前記光制御出射面は、
（１）前記発光素子の基準光軸近傍で且つ前記基準光軸を中心とする所定範囲に位置する球の一部を切り取ったような凹み形状の第１の出射面と、この第１の出射面の周囲に連続して形成される第２の出射面と、この第２の出射面と前記裏面とを接続する第３の出射面を有し、前記第２の出射面の平面形状が前記第１の出射面を取り囲む中空円板形状に形成され、前記第１の出射面と前記第２の出射面との接続部分が変曲点となっており、
（２）前記発光素子から出射した光のうち、少なくともその最大強度の光が出射される方向から出射光の強度が最大強度の半分の値となる光が出射される方向までの角度範囲内に出射される光は、前記光束制御部材に入射して前記光制御出射面の前記第１の出射面、または第２の出射面に到達し、その到達した光と到達点を通り前記発光装置の基準光軸に平行な線とのなす角度θ１と、前記光制御出射面から出射する光の出射角θ５が、前記発光素子から出射される光のうちの前記基準光軸近傍の光を除き、θ５／θ１＞１の関係を満足するとともに、このθ５／θ１の値をθ１の増加にしたがって徐々に小さくなる方向に変化させる形状に形成されていることを特徴とする発光装置。
【請求項２】
前記凹みを構成する凹面は、前記発光素子の光出射面に密接していることを特徴とする請求項１記載の発光装置。
【請求項３】
前記凹みを構成する凹面は、前記発光素子の光出射面に隙間をもって係合していることを特徴とする請求項１記載の発光装置。
【請求項４】
前記光制御出射面は、前記基準光軸近傍の第１の出射面とこの第１の出射面の周囲に位置する第２の出射面とを有し、これら第１の出射面と第２の出射面との接続部分が変曲点となっていることを特徴とする請求項１乃至３のいずれかに記載の発光装置。
【請求項５】
前記請求項１乃至４のいずれかに記載の発光装置と、この発光装置からの光を拡散・透過する光拡散部材と、を備えたことを特徴とする面光源装置。
【請求項６】
前記請求項５に記載の面光源装置と、この面光源装置からの光を照射する被照明部材と、を備えたことを特徴とする表示装置。
【請求項７】
発光素子からの光を封止部材と光束制御部材を介して出射するようになっている発光装置において、
前記光束制御部材は、前記発光素子を収容する凹みが裏面に形成され、前記発光素子からの光の出射を制御する光制御出射面が外表面に形成され、
前記光制御出射面は、
（１）前記発光素子の基準光軸近傍で且つ前記基準光軸を中心とする所定範囲に位置する球の一部を切り取ったような凹み形状の第１の出射面と、この第１の出射面の周囲に連続して形成される第２の出射面と、この第２の出射面と前記裏面とを接続する第３の出射面を有し、前記第２の出射面の平面形状が前記第１の出射面を取り囲む中空円板形状に形成され、前記第１の出射面と前記第２の出射面との接続部分が変曲点となっており、
（２）前記発光素子から出射した光のうち、少なくともその最大強度の光が出射される方向から出射光の強度が最大強度の半分の値となる光が出射される方向までの角度範囲内に出射される光は、前記光束制御部材に入射して前記光制御出射面の前記第１の出射面、または第２の出射面に到達し、その到達した光と到達点を通り前記発光装置の基準光軸に平行な線とのなす角度θ１と、前記光制御出射面から出射する光の出射角θ５が、前記発光素子から出射される光のうちの前記基準光軸近傍の光を除き、θ５／θ１＞１の関係を満足するとともに、このθ５／θ１の値をθ１の増加にしたがって徐々に小さくなる方向に変化させる形状に形成されていることを特徴とする発光装置。
【請求項８】
前記凹みを構成する凹面は、前記封止部材に封止された前記発光素子の光出射面に密接していることを特徴とする請求項７の発光装置。
【請求項９】
前記凹みを構成する凹面は、前記封止部材に封止された前記発光素子の光出射面に隙間をもって係合していることを特徴とする請求項７記載の発光装置。
【請求項１０】
前記光制御出射面は、前記基準光軸近傍の第１の出射面とこの第１の出射面の周囲に位置する第２の出射面とを有し、これら第１の出射面と第２の出射面との接続部分が変曲点となっていることを特徴とする請求項７乃至９のいずれかに記載の発光装置。
【請求項１１】
前記請求項７乃至１０のいずれかに記載の発光装置と、この発光装置からの光を拡散・透過する光拡散部材と、を備えたことを特徴とする面光源装置。
【請求項１２】
前記請求項１１に記載の面光源装置と、この面光源装置からの光を照射する被照明部材と、を備えたことを特徴とする表示装置。
【請求項１３】
発光素子または封止部材に封止された発光素子を収容する凹みが裏面に形成され、前記発光素子からの光の出射を制御する光制御出射面が外表面に形成された光束制御部材であって、
前記光制御出射面は、
（１）前記発光素子の基準光軸近傍で且つ前記基準光軸を中心とする所定範囲に位置する球の一部を切り取ったような凹み形状の第１の出射面と、この第１の出射面の周囲に連続して形成される第２の出射面と、この第２の出射面と前記裏面とを接続する第３の出射面を有し、前記第２の出射面の平面形状が前記第１の出射面を取り囲む中空円板形状に形成され、前記第１の出射面と前記第２の出射面との接続部分が変曲点となっており、
（２）前記発光素子から出射した光のうち、少なくともその最大強度の光が出射される方向から出射光の強度が最大強度の半分の値となる光が出射される方向までの角度範囲内に出射される光は、前記光束制御部材に入射して前記光制御出射面の前記第１の出射面、または第２の出射面に到達し、その到達した光と到達点を通り前記発光装置の基準光軸に平行な線とのなす角度θ１と、前記光制御出射面から出射する光の出射角θ５が、前記発光素子から出射される光のうちの前記基準光軸近傍の光を除き、θ５／θ１＞１の関係を満足するとともに、このθ５／θ１の値をθ１の増加にしたがって徐々に小さくなる方向に変化させる形状に形成されていることを特徴とする光束制御部材。
【手続補正２】
【補正対象書類名】明細書
【補正対象項目名】００１３
【補正方法】変更
【補正の内容】
【００１３】
請求項１の発明は、発光素子からの光を光束制御部材を介して出射するようになっている発光装置に関するものである。この発光装置において、前記光束制御部材は、前記発光素子を収容する凹みが裏面に形成され、前記発光素子からの光の出射を制御する光制御出射面が外表面に形成されている。また、前記光制御出射面は、（１）前記発光素子の基準光軸近傍で且つ前記基準光軸を中心とする所定範囲に位置する球の一部を切り取ったような凹み形状の第１の出射面と、この第１の出射面の周囲に連続して形成される第２の出射面と、この第２の出射面と前記裏面とを接続する第３の出射面を有し、前記第２の出射面の平面形状が前記第１の出射面を取り囲む中空円板形状に形成され、前記第１の出射面と前記第２の出射面との接続部分が変曲点となっており、（２）前記発光素子から出射した光のうち、少なくともその最大強度の光が出射される方向から出射光の強度が最大強度の半分の値となる光が出射される方向までの角度範囲内に出射される光は、前記光束制御部材に入射して前記光制御出射面の前記第１の出射面、または第２の出射面に到達し、その到達した光と到達点を通り前記発光装置の基準光軸に平行な線とのなす角度θ１と、前記光制御出射面から出射する光の出射角θ５が、前記発光素子から出射される光のうちの前記基準光軸近傍の光を除き、θ５／θ１＞１の関係を満足するとともに、このθ５／θ１の値をθ１の増加にしたがって徐々に小さくなる方向に変化させる形状に形成されている。
【手続補正３】
【補正対象書類名】明細書
【補正対象項目名】００１９
【補正方法】変更
【補正の内容】
【００１９】
請求項７の発明は、発光素子からの光を封止部材と光束制御部材を介して出射するようになっている発光装置に関するものである。この発光装置において、前記光束制御部材は、前記封止部材に封止された前記発光素子を収容する凹みが裏面に形成され、前記発光素子からの光の出射を制御する光制御出射面が外表面に形成されている。また、前記光制御出射面は、（１）前記発光素子の基準光軸近傍で且つ前記基準光軸を中心とする所定範囲に位置する球の一部を切り取ったような凹み形状の第１の出射面と、この第１の出射面の周囲に連続して形成される第２の出射面と、この第２の出射面と前記裏面とを接続する第３の出射面を有し、前記第２の出射面の平面形状が前記第１の出射面を取り囲む中空円板形状に形成され、前記第１の出射面と前記第２の出射面との接続部分が変曲点となっており、（２）前記発光素子から出射した光のうち、少なくともその最大強度の光が出射される方向から出射光の強度が最大強度の半分の値となる光が出射される方向までの角度範囲内に出射される光は、前記光束制御部材に入射して前記光制御出射面の前記第１の出射面、または第２の出射面に到達し、その到達した光と到達点を通り前記発光装置の基準光軸に平行な線とのなす角度θ１と、前記光制御出射面から出射する光の出射角θ５が、前記発光素子から出射される光のうちの前記基準光軸近傍の光を除き、θ５／θ１＞１の関係を満足するとともに、このθ５／θ１の値をθ１の増加にしたがって徐々に小さくなる方向に変化させる形状に形成されている。
【手続補正４】
【補正対象書類名】明細書
【補正対象項目名】００２５
【補正方法】変更
【補正の内容】
【００２５】
請求項１３の発明は、発光素子または封止部材に封止された発光素子を収容する凹みが裏面に形成され、前記発光素子からの光の出射を制御する光制御出射面が外表面に形成された光束制御部材に関するものである。この光束制御部材において、前記光制御出射面は、（１）前記発光素子の基準光軸近傍で且つ前記基準光軸を中心とする所定範囲に位置する球の一部を切り取ったような凹み形状の第１の出射面と、この第１の出射面の周囲に連続して形成される第２の出射面と、この第２の出射面と前記裏面とを接続する第３の出射面を有し、前記第２の出射面の平面形状が前記第１の出射面を取り囲む中空円板形状に形成され、前記第１の出射面と前記第２の出射面との接続部分が変曲点となっており、（２）前記発光素子から出射した光のうち、少なくともその最大強度の光が出射される方向から出射光の強度が最大強度の半分の値となる光が出射される方向までの角度範囲内に出射される光は、前記光束制御部材に入射して前記光制御出射面の前記第１の出射面、または第２の出射面に到達し、その到達した光と到達点を通り前記発光装置の基準光軸に平行な線とのなす角度θ１と、前記光制御出射面から出射する光の出射角θ５が、前記発光素子から出射される光のうちの前記基準光軸近傍の光を除き、θ５／θ１＞１の関係を満足するとともに、このθ５／θ１の値をθ１の増加にしたがって徐々に小さくなる方向に変化させる形状に形成されている。
【手続補正５】
【補正対象書類名】図面
【補正対象項目名】図６
【補正方法】変更
【補正の内容】
【図６】
2006324256.tif 000001